(57)【特許請求の範囲】
【請求項１】
篩網を通った微粉を上面に受ける水平な矩形状の受板、該受板の一対の対向辺の両外側に沿って上記受板上の微粉が落し込まれるように設けられた上下方向に開放した一対の微粉落下用開口、上記受板の他の対向辺の片側の辺の外側に隔壁を隔てて設けられた上下方向に開放した粗粉落下用開口のそれぞれを有し、枠部材と受板の組み合わせで矩形状に形成された下枠と、
該下枠の上記受板上方に対向する領域に粗粉から微粉を篩分けする篩網が天面に張られた矩形状の篩網部、上記下枠の一対の微粉落下用開口及び粗粉落下用開口に位置，形状が一致するように設けられた一対の微粉落下用開口及び粗粉落下用開口のそれぞれを有し、枠部材と篩網の組み合わせで上記下枠と外形形状が一致する矩形状に形成された上枠との対からなる篩枠であって、
上記下枠と上枠とを結合して組み立てた篩枠の複数を、上記粗粉落下用開口の位置が互い違いとなるように多段に積層した際に、上記篩枠下枠の下面と該篩枠の積層下段に位置する篩枠の上面との間に設けた密着シール用のシートが貼着されているシール面が、少なくとも上記微粉落下用開口を含む微粉領域と粗粉落下用開口を含む粗粉領域との間において上記シートの継ぎ目を含まない構成とするとともに、
さらに、上記篩枠の上枠及び下枠間に、上記粗粉落下用開口の位置合わせのための合いマークを付し、この合いマークを、上記篩枠の粗粉落下用開口の側とその反対側とで異なる表記としたことを特徴とする粉粒体篩装置に用いる多段積層式用の篩枠。
【請求項２】
篩網を通った微粉を上面に受ける水平な矩形状の受板、該受板の一対の対向辺の両外側に沿って上記受板上の微粉が落し込まれるように設けられた上下方向に開放した一対の微粉落下用開口、上記受板の他の対向辺の片側の辺の外側に隔壁を隔てて設けられた上下方向に開放した粗粉落下用開口のそれぞれを有し、枠部材と受板の組み合わせで矩形状に形成された下枠と、
該下枠の上記受板上方に対向する領域に粗粉から微粉を篩分けする篩網が天面に張られた矩形状の篩網部、上記下枠の一対の微粉落下用開口及び粗粉落下用開口に位置，形状が一致するように設けられた一対の微粉落下用開口及び粗粉落下用開口のそれぞれを有し、枠部材と篩網の組み合わせで上記下枠と外形形状が一致する矩形状に形成された上枠との対からなる篩枠であって、
上記下枠と上枠とを結合して組み立てた篩枠の複数を、上記粗粉落下用開口の位置が互い違いとなるように多段に積層した際に、上記篩枠下枠の下面と該篩枠の積層下段に位置する篩枠の上面との間に設けた密着シール用のシートが貼着されているシール面が、少なくとも、上記篩枠の上枠及び下枠間の、上記粗粉落下用開口の周囲のシール面において上記シートの継ぎ目を含まない構成とするとともに、
さらに、上記篩枠の上枠及び下枠間に、上記粗粉落下用開口の位置合わせのための合いマークを付し、この合いマークを、上記篩枠の粗粉落下用開口の側とその反対側とで異なる表記としたことを特徴とする粉粒体篩装置に用いる多段積層式用の篩枠。
【請求項３】
上記下枠と上枠とを結合して組み立てた篩枠の複数を積層して固定したボックスの、少なくとも上記合いマークが表記されている面に対応する面を、上記表記が認識できる構造の面とした請求項１または２に記載の粉粒体篩装置に用いる多段積層式用の篩枠。
【請求項４】
さらに、上記上枠と下枠とが組み合わされた篩枠並びに空枠を積層状態とした際に連続的に設けられる通しの合いマークが視認可能に表記されている請求項１〜３のいずれかに記載の粉粒体篩装置に用いる多段積層式用の篩枠。
【発明の詳細な説明】
【０００１】
【発明の属する技術分野】
本発明は、小麦粉等の粉粒体を粒度選別するための篩装置に用いられる篩枠に関し、詳しくは、多段に積層して用いられる粉粒体篩選別用の密着式篩枠の構造に関するものである。
【０００２】
【従来の技術】
従来から、小麦粉等の粉粒体の粒度選別のために篩装置が使用されている。以下この篩装置について小麦粉の粒度選別を例にして説明する。
【０００３】
小麦粉の粒度選別を行う製粉業界においては、ブランシフターやスクエアシフター等の形式で知られる篩装置が古くから用いられており、現在では、これらの変形型や中間型（ジュニアシフター等）など種々の形式のものも実際に使用されている。そしてこれらの装置は、多数積み重ねた篩枠を水平面内で円運動させながら、篩上に供給した粉粒体のうちの粒度の小さいものを篩下に通過させることで粒度選別を行うという基本的な構造を有している。
小麦粉篩装置が上記のように篩枠を多段に積層して構成されているのは、小麦粉を篩面の上で移動させて篩選別を確実に行うにはできるだけ広い篩面積が望ましいことから、篩枠を多段に積層した装置の中を蛇行させながら上から下に小麦粉を移動させる篩面を作ることで、据付面積当たりの篩面積を大きくし、場所の節約を図るためである。
【０００４】
このような篩装置は、通常、正方形状の篩枠を積み上げて上下から締め付けた篩枠群や、１０段から２０段以上積み上げた篩枠群をボックスと呼ばれる篩枠箱に入れることにより水平方向の固定をし、上方から締め付けることで固定して構成される。そしてこのボックスをバランスウエイトをもった偏心軸と駆動軸からなる駆動装置を用いて水平面内で高速の円運動を行うように構成されている。このような装置を構成する篩枠は、所定の期間毎に篩網の交換，点検が求められていることから、数百枚から数千枚の篩網のストックを常に準備しておくことが工業的設備では必要とされている。
そこで、交換の必要部分を篩網だけに局限した構造が従来から採用されている。すなわち、１ｍ角程度の枠体（外枠と称される）と、篩網を張った枠体（内枠と称される）とを対で用いて、内枠を外枠に嵌合させるように構成したものが一般的である。このようにすれば、数千枚もの準備保管が必要とされる篩枠であっても、外枠は繰り返して使用でき、実際に準備しておくのは内枠だけになるので、保管容積の縮小，重量の軽減に伴う交換作業の容易化，省力化を図れるため、工業設備面から望ましいからである。
【０００５】
このような目的を達成するための篩枠として、本出願人が先に特願平６−２４５５０５号（特開平８−１０８１４０号公報参照）により提案した篩枠がある。以下、この篩枠の構造の概要を図７〜図１１に基づいて具体的に説明する。
【０００６】
これらの図で示される篩枠は、小麦粉を篩上（粗粉）及び篩下（スルー：微粉）の粉に篩選別するための、平面略同形の上枠と下枠の対を連結する上下枠形式の篩枠としたものである。図７において１０５は上枠であり、矩形四辺状の枠体を構成する例えば木製角柱状の枠部材１５２〜１５５と、その矩形四辺の内側を、篩網部領域１５０と粗粉落下用開口１５９の領域に区画する隔壁１５８と、篩網部領域１５０の内側に十字に架設された補強用木製棒体１５６，１５７と、上記篩網部領域１５０の天面に張られた篩網１５１と、上記枠部材１５４，１５５の外側に設けられた外側の枠部材１６１，１６１とから構成されている。これらのうちの外側の枠部材１６１，１６１は、内側の枠部材１５４，１５５と離間されて設けられることで、これらの間に微粉落下用開口１６５，１６５を形成している。なお篩網１５１の下側に近接してこれと平行にクリンプ網を張設し、これらの網間にクリーナー（いずれも不図示）を遊動可能に介挿して篩の目詰まり防止を図るのがよい。
【０００７】
上記上枠１０５の特徴は、図７及び図９から明らかであるように、枠部材１５２〜１５５，１５６，１５７，１６１等及び隔壁１５８が同一高さ寸法をもった角柱状材料で構成されていて、その上面及び下面が面一をなしていること、及び篩網部領域１５０と粗粉落下用開口１５９の領域を区画する隔壁１５８が、大きな断面係数を有するように断面積の大きな枠部材で設けられていることにある。このように設けた理由はシール面の確保と、下記する下枠の隔壁１６８との間に隙間を生じさせないようにするためである。なお、上記隔壁１５８，１６８等の係合面のシールのためには、これらの隔壁１５８等の下面１５８ａ又は下枠の隔壁１６８等の上面（図９参照）に不織布あるいはフェルト等の密着用シートを貼着しておくことが好ましい。隔壁１５８には、粗粉が粗粉落下用開口１５９に落ち込み易いように、その出口側を従来と同様の斜面とすることもよい。
【０００８】
図８は下枠１０６を示すものであり、内側側壁は省略され外側側壁１６４，１６４と、これと直交する一対の外側側壁１６２，１６３と、その内側の隔壁１６８によって、受板１６７を設けた微粉領域と粗粉落下用開口１６９とに区画されている。この粗粉落下用開口１６９及び隔壁１６８は、上記上枠１０５の粗粉落下用開口１５９及び隔壁１５８とその位置及び形状が一致するように設けられている。また、平行する一対の外側側壁１６４，１６４が設けられて外側側壁１６３に固着され、全体として上枠１０５と同一外形の矩形四辺状の枠体を形成すると共に、一対の外側側壁１６４，１６４と受板１６７の端部の間に上下方向に開放した微粉落下用開口１７５，１７５を形成するようになっている。なお、１６６は上記隔壁１６８と外側側壁１６２を固着する補強用の中間ブラケットである。
【０００９】
本装置における上記の受板１６７は、例えばビス止め固着したステンレス製の矩形板によって形成される。また、この受板１６７の下側には、上枠の枠部材１５４，１５５と上下対をなすように下側内側側壁１７６，１７６が設けられ、その下面は外側側壁１６２，１６３，１６４の下面と面一に設けられて、積層次段の上枠の枠部材１５５，１５４を押さえるようになっている。上記受板１６７はその上に、上枠１０５の篩網１５１を通過した微粉（スルー）を受ける微粉領域の空間を提供する。この微粉は、篩枠の振動に伴って微粉落下用開口１７５に落し込まれる。なお、１７７は粗粉落下用開口１６９の両端部における上記外側側壁１６２と下側内側側壁１７６，隔壁１６８の隙間を閉塞するように固着されたブラケットである。
【００１０】
なお、上記下側内側側壁１７６は、図１１で説明するように、篩枠を多段積層した際に、その下面に貼着した密着シート１７６ａのシール面が積層下段篩枠の上枠の枠部材１５４（又は１５５）に係合するように設けられる。このように設けることで、篩枠積層時の密着力を付与し、粗粉が微粉領域に入り込む可能性のある隙間を確実にシール（封止）できる。
【００１１】
以上の構成の上枠１０５と下枠１０６の上下連結させる状態を図９に示し、さらに上下連結の状態を図１０に示した。
本構成例においては、上枠の枠部材１５４，１５５は、中間材１７２で支持されるのみであるが、ここでの目的である粗粉領域と微粉領域の区画は１７７，１６８で十分密着しているので十分に達せられる。
【００１２】
これにより、粗粉落下用開口１５９，１６９の領域と、篩網１５１及び受板１６７の間の空間として形成された微粉領域は、上枠１０５及び下枠１０６の隔壁１５８，１６８により区画され、また、両側の微粉落下用開口１６５，１７５が、粗粉落下用開口１５９，１６９の領域とは上枠１０５の枠部材１５４，１５５、下枠１０６の下側内側側壁１７６及びブラケット１７７により区画された構成の篩枠が組み上げられる。
【００１３】
そしてこのようにして組み上げられた篩枠の複数を、図１１に示すように、粗粉落下用開口１５９，１６９の組が順次互い違いとなるように積層して篩枠群が構成されると共に、この図１１の上段篩枠の下面に密着シートを貼着して形成されたシール面（図中ハッチングで示した隔壁のシール面１５８ａ）等が、下段篩枠の上面に形成されたシール面に接して、篩枠群の上下からの強圧によりこれらシール面の圧接シールが行われる。これにより、粗粉領域の粗粉落下用開口１５９，１６９は、積層された複数の篩枠によって他の空間からは区画された上下方向の開口を一段ごとに互い違いの位置に形成し、かつ篩網１５１と上段篩枠の受板１６７の下方に形成される空間は下側内側側壁１７６，１７６により微粉落下用開口１６５，１６５から区画され、これらにより、全体として上から下に向かって水平方向に蛇行しながら連続する粗粉領域が形成されることになる。他方、微粉落下用開口１６５，１６５は、篩枠の積層により上下方向に連続した開口として形成され、各段の篩枠に対しては上述した上枠の枠部材１５４，１５５と受板１６７の間の隙間を通じて篩網１５１の下側空間と連通されている。このようにすると、微粉の通路が広くとれ、流れにくい微粉に対応できる。
【００１４】
以上のように構成された多段積層の篩枠群を、水平面内で円運動を行わせながら最上段の篩枠の篩網の上に粗粉を供給すると、実施例１と同様に、粗粉は篩網１５１の上を移動しながら粗粉落下用開口１５９，１６９から次段の篩網１５１の上に落ち込み、次段では同様に篩網１５１の上を移動して反対側に位置する粗粉落下用開口１５９，１６９に至ってさらに次段の篩網の上に落ち込み、順次これを繰り返して蛇行しながら最下段の篩枠を経て系外に排出される（図６参照）。他方、各段の篩網１５１を通った微粉は受板１６７に落ち、左右のスリット状の微粉落下用開口１６５，１６５に落しこみ、微粉回収系路に導かれる。
【００１５】
【発明が解決しようとする課題】
上述の篩装置は、以上のようにして構成した篩枠を多数積層することで篩枠群を形成して小麦粉の篩選別を行っているが、実際に稼動させた場合、稀にではあるが粗粉や虫等の異物が微粉側に混入する場合のあることが見出された。
【００１６】
近時においてはより付加価値が高くまた万一にも粗粉等が混入していない粉体製品が求められる傾向が大きくなっており、さらに改良が望まれている。
本発明者はこのような事情に鑑みて、微粉側への粗粉，異物等の混入の原因を検討したところ次のことが分かった。すなわち、上述の篩枠で生じている微粉側への粗粉，異物等の混入は、圧力的に密着されている上記シール面１７６ａにおける、密着シール用シートに不適切な接合部があった場合にのみ発生するという問題である。
【００１７】
すなわち、上記密着シール用シートを貼着する際に、シート材料の有効利用を図ることにのみ注意が注がれ、図９に示すように上記密着シール用シートに接合部を作ってしまうと、この接合部が微粉領域と粗粉領域の間に通路を形成してしまうことになり、密着シール用シートによる微粉領域と粗粉領域の間の封止（シール）を損なうことになるという問題である。
【００１８】
また、これとは別に、前述のように多段積層式の篩枠群を構成する際にも、作業者がこれを組み間違う虞がないわけではない。この組み間違いは、上枠と下枠とを組み合わせて篩枠を組む段階と、この篩枠を複数段積層して多段積層式の篩枠群を構成する段階の両方で発生する可能性がある（実際には、上枠と下枠とを組み合わせつつ結果的に篩枠を複数段積層して行くことも可能であり、厳密にこれらを分けることは困難である）。
具体的には、第１の、上枠と下枠とを組み合わせて篩枠を組む段階において、上枠と下枠とを正規の位置関係以外の位置関係となるように組み合わせることができないように、また、第２の、篩枠を複数段積層して多段積層式の篩枠群を構成する段階において、上下に積層される篩枠を正規の位置関係以外の位置関係となるように組み合わせることができないように、することが必要である。
【００１９】
この場合に、上枠と下枠とを凹部と凸部を用いて物理的に組み合わせる（位置合わせする）という方法も可能ではあるが、この方法には、凹部と凸部が組み合わせの都度当接することにより、枠を構成する木材の断片が飛散し、新たな異物混入の原因となるという別の問題がある。
【００２０】
本発明は、以上のような種々の問題を解決し、準備保管の必要容積を少なくでき、かつ交換作業の省力化要求を満足できると共に、従来の篩枠において招くことがあった微粉側への粗粉，異物等の混入を確実に防止できるようにした新規な粉粒体選別用の篩枠の提供を目的とするものである。
【００２１】
【課題を解決するための手段】
上記目的を達成するためになされた本発明の篩枠の特徴は上記特許請求の範囲の各請求項に記載したところにある。
【００２２】
すなわち、本発明の第１の特徴は、篩網を通った微粉を上面に受ける水平な矩形状の受板、この受板の一対の対向辺の両外側に沿って該受板上の微粉が落し込まれるように設けられた上下方向に開放した一対の微粉落下用開口、上記受板の他の対向辺の片側の辺の外側に隔壁を隔てて設けられた上下方向に開放した粗粉落下用開口のそれぞれを有し、枠部材と受板の組み合わせで矩形状に形成された下枠と、
該下枠の一対の微粉落下用開口及び粗粉落下用開口に位置，形状が一致するように設けられた一対の微粉落下用開口及び粗粉落下用開口のそれぞれを有し、枠部材と受板の組み合わせで上記下枠外形形状が一致する矩形状に形成された上枠との対からなる篩枠であって、
上記下枠と上枠とを結合して組み立てた篩枠の複数を、上記粗粉落下用開口の位置が互い違いとなるように多段に積層した際に、上記篩枠下枠の下面と該篩枠の積層下段に位置する篩枠の上面との間に設けた密着シール用のシートが貼着されているシール面が、少なくとも上記微粉落下用開口を含む微粉領域と粗粉落下用開口を含む粗粉領域の間において上記シートの継ぎ目を含まない構成とするとともに、
さらに、上記篩枠の上枠及び下枠間に、上記粗粉落下用開口の位置合わせのための合いマークを付し、この合いマークを、上記篩枠の粗粉落下用開口の側とその反対側とで異なる表記としたことにある。
【００２３】
また、本発明の第２の特徴は、篩網を通った微粉を上面に受ける水平な矩形状の受板、該受板の一対の対向辺の両外側に沿って上記受板上の微粉が落し込まれるように設けられた上下方向に開放した一対の微粉落下用開口、上記受板の他の対向辺の片側の辺の外側に隔壁を隔てて設けられた上下方向に開放した粗粉落下用開口のそれぞれを有し、枠部材と受板の組み合わせで矩形状に形成された下枠と、
該下枠の上記受板上方に対向する領域に粗粉から微粉を篩分けする篩網が天面に張られた矩形状の篩網部、上記下枠の一対の微粉落下用開口及び粗粉落下用開口に位置，形状が一致するように設けられた一対の微粉落下用開口及び粗粉落下用開口のそれぞれを有し、枠部材と篩網の組み合わせで上記下枠と外形形状が一致する矩形状に形成された上枠との対からなる篩枠であって、
上記下枠と上枠とを結合して組み立てた篩枠の複数を、上記粗粉落下用開口の位置が互い違いとなるように多段に積層した際に、上記篩枠下枠の下面と該篩枠の積層下段に位置する篩枠の上面との間に設けた密着シール用のシートが貼着されているシール面が、少なくとも、上記篩枠の上枠及び下枠間の、上記粗粉落下用開口の周囲のシール面において上記シートの継ぎ目を含まない構成とするとともに、
さらに、上記篩枠の上枠及び下枠間に、上記粗粉落下用開口の位置合わせのための合いマークを付し、この合いマークを、上記篩枠の粗粉落下用開口の側とその反対側とで異なる表記としたことにある。
【００２４】
また、本発明は、上記下枠と上枠とを結合して組み立てた篩枠の複数を積層して固定したボックスの、少なくとも上記合いマークが表記されている面に対応する面を、上記表記が認識できる構造の面としたことを特徴とする。さらに、上記上枠と下枠とが組み合わされた篩枠並びに空枠を積層状態とした際に連続的に設けられる通しの合いマークが視認可能に表記されていることを特徴とする。
【００２５】
以上のような構成を有する本発明の篩枠によれば、従来の篩枠組み立てにおいて発生することがあった篩枠の組み立て作業ミスを略完全に防止できるという効果が得られるばかりでなく、交換を要するのは、篩網部，微粉落下用開口及び粗粉落下用開口の部分を有する上枠に限定されるので、篩枠全体を一体とするものに比べて軽量，小型とすることができ、また粗粉領域と微粉領域を区画封止するシール面は、同一水平面内に位置する閉鎖型の矩形環状縁に形成されるので、粗粉領域と微粉領域の間での漏れを防止した厳密な区画封止が達成できる。
【００２６】
【発明の実施の形態】
以下、本発明を図面に示す実施例に基づいてより具体的に説明する。
【００２７】
図１〜図５に、本発明の一実施例に係る粉粒体篩装置の主要部である篩枠を収納するボックスの全体構成及び篩枠の詳細を示す。まず、図１は本実施例に係る篩装置のボックス（篩枠箱）１００の概略構成を示す斜視図である。ボックス１００は全体としては金属枠を基に構成されており、前述したように１０〜２０個の篩枠を積層して上下から締め付け固定するものである。また、ボックス１００の側面は合板等の材料で被覆されており、そのうちの一面特に以下に説明する篩枠の合いマークが表記されている面に対応する面１００ａは、作業者が容易に観察することができるように、少なくともその一部が透明な材料（例えばメタアクリル樹脂板等）で構成されている。なお、篩装置は上記ボックスを４〜８個振動台の上にセットして構成される。
【００２８】
図１に示すように、本実施例に係る篩装置は、１０〜２０個の篩枠を、必要に応じて後述する空枠１１０を適宜介在させて、積層したものである。
図２は、本実施例に係る篩装置の要部である篩枠の上枠と下枠とを組み合わせた組み立て状態を示す斜視図である。ここで、篩枠が上枠１０５と下枠１０６から構成される点は先に説明した先願の篩枠と同様であるが、本実施例に係る篩枠はこれに加えて、上枠１０５と下枠１０６との組み立て状態の良否を判断するための、上枠１０５と下枠１０６の組み合わせ位置関係を示す第１の合いマーク１０５ｐ，１０６ｐを有する点が異なっている。さらに、他の相違点は、上枠１０５と下枠１０６とを組み合わせた篩枠を、その粗粉落下用開口が互い違いになるようにすることを含めて間違いなく組み立てられるようにするための、第２の合いマーク１０５ｑ，１０６ｑを有する点である。
【００２９】
ここで、第１の合いマーク１０５ｐ，１０６ｐは、図２に示されるように上枠１０５と下枠１０６とが正しい組み立て位置関係に組み合わされた状態で一体化するマーク（例えば上向きの三角形）を用いる。また、この第１の合いマーク１０５ｐ，１０６ｐは、その色を異ならせて篩枠の前面（例えば粗粉落下用開口がある側）と後ろ面に設けるのがよい。このように構成することにより、正しい組み立て位置関係に組み合わされた篩枠であっても、積層時に前後の方向を間違えてセットすることが防止できる。同様に、第２の合いマーク１０５ｑ，１０６ｑは正しい組み立て位置関係に組み合わされた篩枠が、水平面内で９０度回転した状態でセットされることを防止するためのものである。
【００３０】
以上は、篩枠を組み立てた状態で示した場合に分かる特徴を示したものであるが、次に篩枠を上枠と下枠とに分解した状態で示した場合に分かる特徴を示す。図３は、先に示した図９に対応する図であり、篩枠を構成する上枠１０５と下枠１０６との組み合わせ位置関係を示す図である。図９中の上枠１０５では、その下面１５８ａの粗粉落下用開口１５９の周囲のシール用シートの四辺を４枚の矩形辺で構成していることが示されている。これは、シートの材料取りの関係から通常行なわれるシートの貼着状況を示す図である。
これに対して、本実施例では、図４（ａ）に示すように、材料取りの上からはロスが出ることを覚悟の上で、粗粉落下用開口１５９を含めた枠体シール面全面のシール用シートを継ぎ目のない１枚もので構成している。
【００３１】
このように構成することにより、本実施例では、上記のように篩枠の複数を多段に積層した際に、密着シール用のシートが貼着されているシール面を、少なくとも上記微粉落下用開口を含む微粉領域と粗粉落下用開口を含む粗粉領域の間において上記シートの継ぎ目を含まない構成とすることができ、この部分からの異物の混入の問題を根本的に解消することができる。
なおここで、密着シール用のシート材料としては、前述したように不織布あるいはフェルト等が用い得るが、基本的にはシート材料中の空隙（隙間）寸法が小さいことが好ましい。また、材料取りのロスを考慮して、図４（ｂ）に示すように、粗粉落下用開口１５９の周囲だけを四辺に継ぎ目のないシール用シートで構成してもよい。
【００３２】
また、先に提案した篩枠の説明の項でも述べたように、本実施例に係る篩枠においても、上枠１０５の枠部材１５２〜１５５，１５６，１５７，１６１等及び隔壁１５８が同一高さ寸法をもった角柱状材料で構成されていて、その上面及び下面が面一をなしていることが重要である。すなわち、上記例でいえば、シール面を示す１５８ａの粗粉落下用開口１５９の周囲の係合面のシールのためには、これらの四辺の下面（又は外枠の四辺の上面）をできるだけ平面状に仕上げておくことが好ましい。
【００３３】
以上のように構成された多段積層の篩枠群を、前述したように振動台上で水平面内で円運動を行わせながら最上段の篩枠の篩網１５１の上に粗粉を供給すると、粗粉は篩網１５１の上を移動しながら粗粉落下用開口１６９から次段の篩網１５１の上に落ち込み、次段では同様に篩網１５１の上を移動して反対側に位置する粗粉落下用開口１６９に至ってさらに次段の篩網１５１の上に落ち込み、順次これを繰り返して蛇行しながら最下段の篩枠を経て系外に排出される（図６参照）。他方、各段の篩網１５１を通った微粉は受板１６７に落ち、ここから左右に分かれて微粉回収系路に導かれる。
【００３４】
以上のような構成の本実施例の篩枠を用いた篩装置によれば、粗粉側と微粉側の領域を区画封止するシール面が、同一平面に位置する環状のシール面として形成されるため確実な密着シールが実現され、従来のような粗粉や異物の微粉領域側への混入のおそれは確実に防止される。
【００３５】
また、本実施例の篩枠を用いた篩装置における、ボックスの組立作業においては、前述の合いマーク１０５ｐ，１０６ｐ及び１０５ｑ，１０６ｑを利用して、篩枠を構成する上枠１０５と下枠１０６との組み立て作業、及び、上枠１０５と下枠１０６から組み立てられた篩枠を、その粗粉落下用開口が互い違いになるようにすることを含めて間違いなくボックス内に組み込む作業を、以下のように行う。すなわち、まず、上枠１０５と下枠１０６から篩枠を組み立てる際には、上記合いマーク１０５ｐ，１０６ｐの色及び形状を合わせてセットすればよく、次にこの篩枠をボックス内に組み込む際には、上記合いマーク１０５ｐ，１０６ｐの形状が合っている（同色の三角形が構成されている）ことと、その色が上下段で交互に変化していることを確認しながら行えばよい。
【００３６】
なお、この際、第２の合いマーク１０５ｑ，１０６ｑが縦方向に連続していることを確認することで、２重のチェックを行うことができる。また、確認終了後ボックスの前面板をセットする前もしくは前面板をセットした後に、セット状況をビデオカメラ、デジタルカメラなどの瞬時に再生が可能な撮像手段により撮像しておくことも、第三者による再確認の手段として有効である。この撮像結果が図１に示すような画像になっていれば、篩枠の組み立てが正しく行われていることを示していることになる。
【００３７】
ところで、前述のように、本実施例に係る篩装置を使用する際には、最上段の篩枠の篩網１５１の上に供給された粗粉が、篩網１５１の上を移動しながら粗粉落下用開口１６９から次段の篩網１５１の上に落ち込むというように、次々に下段に進んで行くが、当初は粗粉の量が多く、場合によっては篩網１５１上での移動がスムーズに行われないことがある。これを防止するためには、上部の篩枠の上枠の篩網１５１の上の空間を他より広くすればよいが、これには特別の篩枠を用意することが必要になるという問題がある。
【００３８】
そこで、図５に示すような、最外側の外枠のみを有する間隔調整用の空枠１１０を用意しておき、下枠１０６と上枠１０５とを結合して組み立てた篩枠を積層する際に、この空枠１１０を適宜組み込むようにすれば、上枠１０５の篩網１５１の上の空間の大きさを自由に変更することができる。空枠１１０としては、数種類の高さ（厚さ）のものを用意しておくとよい（図１参照）。なお、空枠１１０にも、前記第２の合いマーク１１０ｑを設けておけばよい。
【００３９】
なお本例の篩枠を用いた篩選別は、小麦粉用に限定されるものではなく、適宜の粉粒体の粒度選別、例えば澱粉、セラミックス等の粉粒体を対象として行うことができることは言うまでもない。
【００４０】
【発明の効果】
以上述べたように、本発明に係る篩枠によれば、交換のために準備しておく篩枠の保管容積を小さくでき、また交換作業の省力化を実現できるという効果に加えて、従来の篩枠組み立てにおいて発生することがあった篩枠の組み立て作業ミスを略完全に防止できるという効果が得られるものである。
【００４１】
また、これによって、従来の篩枠において招くことがあった微粉側への粗粉，異物等の混入を略完全に阻止できるという効果がある。
【図面の簡単な説明】
【図１】  本発明の一実施例に係る篩装置を収納するボックスの概略構成を示す斜視図である。
【図２】  同実施例に係る篩装置の要部である篩枠の組み立て状態を示す斜視図である。
【図３】  同実施例に係る篩枠の上枠と下枠を嵌合させる状態を説明するための展開斜視図である。
【図４】  （ａ）は図３の展開図で示した上枠下面のシール面の詳細な構成を示す斜視図、（ｂ）は他の構成例を示す斜視図である。
【図５】  同実施例に係る空間高さ調整用の空枠を示す斜視図である。
【図６】  篩枠群内を、粗粉が蛇行しながら上から下へ移動する状態を図中に鎖線で示した図である。
【図７】  先願の発明に係る篩枠を構成する上枠の斜視図である。
【図８】  同発明に係る篩枠を構成する下枠の斜視図である。
【図９】  同発明に係る篩枠の上枠と下枠を嵌合させる状態を説明するための展開斜視図である。
【図１０】  図９の展開図で示した上枠と下枠を嵌合させた組み立て状態を示した斜視図である。
【図１１】  図１０の篩枠を上下に積層させる際の係合関係を説明するための展開図である。
【符号の説明】
１００  ボックス
１００ａ  透明な前面板
１０５  上枠
１５０  篩網部領域
１５１  篩網
１５２、１５３、１６１  外側側壁
１５４、１５５  枠部材
１５８  隔壁
１５８ａ  シール面
１５９  粗粉落下用開口
１６５  微粉落下用開口
１０５ｐ，１０５ｑ  合いマーク
１０６  下枠
１６２，１６３，１６４  外側側壁
１６７  受板
１６８  隔壁
１６９  粗粉落下用開口
１７５  微粉落下用開口
１７６  下側内側側壁
１０６ｐ，１０６ｑ  合いマーク
１１０  空枠
１１０ｑ  合いマーク
【図１】
0003989111.tif 000002
【図２】
0003989111.tif 000003
【図３】
0003989111.tif 000004
【図４】
0003989111.tif 000005
【図５】
0003989111.tif 000006
【図６】
0003989111.tif 000007
【図７】
0003989111.tif 000008
【図８】
0003989111.tif 000009
【図９】
0003989111.tif 000010
【図１０】
0003989111.tif 000011
【図１１】
0003989111.tif 000012